(57)【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算して選択する手段と、
該選択された最適組み合わせの重量計測部位を指示する指示機構を有し、
作業者が前記指示に則り最適組み合わせに該当する物品をピックアップする組み合わせ計量機において、
実際の秤量選別を行う通常動作モードと、
実際の秤量選別を行わずにプログラミングされた組み合わせによる指示に基づいて作業者が選択を行い、その所要時間を測定することにより熟練度を判定するトレーニングモードとの、
２種類のモードを有することを特徴とする、
組み合わせ計量機。
【請求項２】
該組み合わせ計量機において、
該選択された最適組み合わせの重量計測部位を示す指示機構は灯火であって、該灯火は、
着色灯火によることを特徴とする、
請求項１記載の組み合わせ計量機。
【請求項３】
該組み合わせ計量機において、
該選択された最適組み合わせの重量計測部位を示す指示機構は、
ＬＥＤによることを特徴とする、
請求項２記載の組み合わせ計量機。
【請求項４】
該組み合わせ計量機において、
該選択された最適組み合わせの重量計測部位を示す指示機構は灯火及び音声を含み、該音声による指示機構は、
ブザー又はスピーカーによることを特徴とする、
請求項１記載の組み合わせ計量機。
【請求項５】
該組み合わせ計量機において、
該選択された最適組み合わせの重量計測部位を示す指示機構のうちの音声による指示機構は、
それぞれの指示位置により音程が異なるように設定されたことを特徴とする、
請求項４記載の組み合わせ計量機。
【請求項６】
該組み合わせ計量機において、
該重量計測部位は１２以下であり、
それぞれの位置に該当する音声による指示機構が発する音程が平均律における１２音階のいずれかに設定され、それぞれ音階が異なるように設定されたことを特徴とする、
請求項５記載の組み合わせ計量機。
【請求項７】
該組み合わせ計量機において、
該１２音階のいずれかに設定される指示部位は、
一方向に音階が漸増するように配置されたことを特徴とする、
請求項６記載の組み合わせ計量機。
【請求項８】
該組み合わせ計量機において、
該重量計測部位は１２であり、
該１２音階のいずれかに設定される指示部位及び計量皿の配置は、
ピアノにおける鍵盤配置と同様の位置になるように配置されたことを特徴とする、
請求項７記載の組み合わせ計量機。
【請求項９】
該組み合わせ計量機は、
プログラミングされた楽曲をメモリに内蔵してなり、
指示にあたって音声による指示機構の発音による演奏が可能なことを特徴とする、
請求項４乃至８のうちのいずれか一に記載の組み合わせ計量機。
【請求項１０】
該組み合わせ計量機は、
音程に対応した計量皿をタッチすることによって楽曲演奏が可能なことを特徴とする、
請求項４乃至８のうちのいずれか一に記載の組み合わせ計量機。
【請求項１１】
該組み合わせ計量機において、
複数の重量計測部位はプラスチック部材で形成されることを特徴とする、
請求項１乃至１０のうちのいずれか一に記載の組み合わせ計量機。
【請求項１２】
該重量計測部位に用いる計量皿は、サイズの異なる計量皿に交換して用いる事ができることを特徴とする、
請求項１乃至１１のうちのいずれか一に記載の組み合わせ計量機。
【請求項１３】
該重量計測部位に用いる計量皿は、サイズの異なる計量皿を混在して用い、
いくつかの計量部位に大きいサイズの計量皿を設置し、大きいサイズの計量皿の重量に
小さいサイズの計量皿の重量を加えて所定重量を秤量する親子計量ができることを特徴とする、
請求項１２記載の組み合わせ計量機。
【請求項１４】
該重量計測部位に用いる計量皿は、形状の異なる計量皿に交換して用いる事ができることを特徴とする、
請求項１乃至１１のうちのいずれか一に記載の組み合わせ計量機。
【請求項１５】
該重量計測部位に用いる計量皿は、相対する列において計量皿の中心位置がずらして配列されてなることを特徴とする、
請求項１乃至１４の何れか一に記載の組み合わせ計量機。
【請求項１６】
該重量計測部位に用いる計量皿は、細長い形状を持ってなり、長物の被計量物に対応してなることを特徴とする、
請求項１５記載の組み合わせ計量機。
【請求項１７】
該重量計測部位に用いる計量皿は細長い形状を持ってなり、
相対する列において交互に計量皿を載置しない部位を設け、
長物の被計量物に対応してなることを特徴とする、
請求項１４記載の組み合わせ計量機。
【発明の詳細な説明】
【技術分野】
【０００１】
本発明は、野菜等を規定の重量以上且つ最小となる組み合わせを秤量するための組み合わせ計量機に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
また、個別の農家や小規模の出荷組合等に於ける作業では、作業者は熟練者から未経験の人まで様々であり、そのレベルを一定にすることは不可能である。
【０００９】
これらの課題を解決するため、簡素な構成でコストが安く、各種の野菜等の商品に簡単な段取り変更で対応可能であるとともに、作業者の熟練度に対応して熟練者にも初心者にも効率の良い作業が可能な組み合わせ計量機を実現することが
急務となっている。
【００１０】
ここで、作業者の熟練度は時間の経過とともに養われていくものであるが、その熟練度に合わせた装置の設定や、複数の作業者の熟練度の組み合わせにより作業効率は変動するものであるから、個々の作業者の熟練度を把握することは重要である。また、熟練度の向上のため、実作業以外の時間に訓練を行うことも重要である。
【００１１】
これに加えて、かかる作業は一般に農家等で比較的高齢者が担当することが多く、視力の問題から組み合わせを指示するインジケータが見辛いといった障害が生ずることがあった。さらに進めて、かかる秤量選別を視覚障害者でも作業可能にすれば、障害者雇用、社会福祉の面でも社会に資することが出来る。これらを実現せんとすることが本発明の目的である。
【課題を解決するための手段】
【００１２】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算して選択する手段と、該選択された最適組み合わせの重量計測部位を指示する指示機構を有し、作業者が前記指示に則り最適組み合わせに該当する物品をピックアップする組み合わせ計量機において、実際の秤量選別を行う通常動作モードと、実際の秤量選別を行わずにプログラミングされた組み合わせによる指示に基づいて作業者が選択を行い、その所要時間を測定することにより熟練度を判定するトレーニングモードとの、２種類のモードを有することを特徴とする、組み合わせ計量機である。
【００１４】
また本発明は、該選択された最適組み合わせの重量計測部位を示す指示機構は灯火であって、該灯火は、着色灯火によることを特徴とし、さらに該選択された最適組み合わせの重量計測部位を示す指示機構は、ＬＥＤによることを特徴とする。
【００１５】
また本発明は、該選択された最適組み合わせの重量計測部位を示す該選択された最適組み合わせの重量計測部位を示す指示機構は灯火及び音声を含み、該音声による指示機構は、ブザー又はスピーカーによることを特徴とし、該選択された最適組み合わせの重量計測部位を示す指示機構のうちの音声による指示機構は、それぞれの指示位置により音程が異なるように設定されたことを特徴とする。
【００１６】
また本発明は、該重量計測部位は１２以下であり、それぞれの位置に該当する音声による指示機構が発する音程が平均律における１２音階のいずれかに設定され、それぞれ音階が異なるように設定されたことを特徴とする。
【００１７】
また本発明は、該１２音階のいずれかに設定される指示部位は、一方向に音階が漸増するように配置されたことを特徴とする。
【００１８】
また本発明は、該重量計測部位は１２であり、該１２音階のいずれかに設定される指示部位及び計量皿の配置は、ピアノにおける鍵盤配置と同様の位置になるように配置されたことを特徴とする。
【００１９】
また本発明は、プログラミングされた楽曲をメモリに内蔵してなり、必要に応じて、音声による指示機構の発音による演奏が可能なことを特徴とする。
【００２０】
また本発明は、音程に対応した計量皿をタッチすることによって楽曲演奏が可能なことを特徴とする。
【００２１】
また本発明は、複数の重量計測部位はプラスチック部材で形成されることを特徴とし、該重量計測部位に用いる計量皿は、サイズの異なる計量皿に交換して用いる事ができることを特徴とし、該重量計測部位に用いる計量皿は、サイズの異なる計量皿を混在して用いて、いくつかの計量部位に大きいサイズの計量皿を設置し、大きいサイズの計量皿の重量に
小さいサイズの計量皿の重量を加えて所定重量を秤量する親子計量ができることを特徴とし、該重量計測部位に用いる計量皿は、形状の異なる計量皿に交換して用いる事ができることを特徴とし、該重量計測部位に用いる計量皿は、相対する列において計量皿の中心位置がずらして配列されてなることを特徴とし、該重量計測部位に用いる計量皿は細長い形状を持ってなり、長物の被計量物にも対応してなることを特徴とし、さらに相対する列において交互に計量皿を載置しない部位を設け、長物の被計量物にも対応してなることを特徴とする。
【発明の効果】
【００２２】
本発明に係る組み合わせ計量機は、簡素な構成でコストが安く、作業者の熟練度を判定して最適な人員配置が可能となるととともに、熟練度を向上させるトレーニングを実施することが出来る。また、音声によるサポートによって高齢者でも効率的な作業が可能になるとともに、かかる秤量選別を視覚障害者でも作業可能にして、障害者雇用、社会福祉の面でも社会に資することが出来る。
【図面の簡単な説明】
【００２３】
【図１】図１は、本発明に係る組み合わせ計量機の形態を示す概念図である。
【発明を実施するための形態】
【００２４】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算して選択する手段と、該選択された最適組み合わせの重量計測部位を指示する指示機構を有し、作業者が前記指示に則り最適組み合わせに該当する物品をピックアップする組み合わせ計量機において、実際の秤量選別を行う通常動作モードと、実際の秤量選別を行わずにプログラミングされた組み合わせによる指示に基づいて作業者が選択を行い、その所要時間を測定することにより熟練度を判定するトレーニングモードとの、２種類のモードを有することを特徴とする、組み合わせ計量機である。
【００２６】
また本発明は、該選択された最適組み合わせの重量計測部位を示す指示機構は灯火であって、該灯火は、着色灯火によることを特徴とし、さらに該選択された最適組み合わせの重量計測部位を示す指示機構は、ＬＥＤによることを特徴とする。
【００２７】
また本発明は、該選択された最適組み合わせの重量計測部位を示す該選択された最適組み合わせの重量計測部位を示す指示機構は灯火及び音声を含み、該音声による指示機構は、ブザー又はスピーカーによることを特徴とし、該選択された最適組み合わせの重量計測部位を示す指示機構のうちの音声による指示機構は、それぞれの指示位置により音程が異なるように設定されたことを特徴とする。
【００２８】
また本発明は、該重量計測部位は１２以下であり、それぞれの位置に該当する音声による指示機構が発する音程が平均律における１２音階のいずれかに設定され、それぞれ音階が異なるように設定されたことを特徴とする。
【００２９】
また本発明は、該１２音階のいずれかに設定される指示部位は、一方向に音階が漸増するように配置されたことを特徴とする。
【００３０】
また本発明は、該重量計測部位は１２であり、該１２音階のいずれかに設定される指示部位及び計量皿の配置は、ピアノにおける鍵盤配置と同様の位置になるように配置されたことを特徴とする。
【００３１】
また本発明は、プログラミングされた楽曲をメモリに内蔵してなり、必要に応じて、音声による指示機構の発音による演奏が可能なことを特徴とする。
【００３２】
また本発明は、音程に対応した計量皿をタッチすることによって楽曲演奏が可能なことを特徴とする。
【００３３】
また本発明は、複数の重量計測部位はプラスチック部材で形成されることを特徴とし、該重量計測部位に用いる計量皿は、サイズの異なる計量皿に交換して用いる事ができることを特徴とし、該重量計測部位に用いる計量皿は、サイズの異なる計量皿を混在して用いて、いくつかの計量部位に大きいサイズの計量皿を設置し、大きいサイズの計量皿の重量に小さいサイズの計量皿の重量を加えて所定重量を秤量する親子計量ができることを特徴とし、該重量計測部位に用いる計量皿は、形状の異なる計量皿に交換して用いる事ができることを特徴とし、該重量計測部位に用いる計量皿は、相対する列において計量皿の中心位置がずらして配列されてなることを特徴とし、該重量計測部位に用いる計量皿は細長い形状を持ってなり、長物の被計量物にも対応してなることを特徴とし、さらに相対する列において交互に計量皿を載置しない部位を設け、長物の被計量物にも対応してなることを特徴とする。
【実施例１】
【００３４】
図１は、本発明に係る組み合わせ計量機の形態を示す概念図である。図中の０から１１までの番号が振られている部分がそれぞれの計量皿であり、ここに秤量対象の野菜などを載置し、規定の重量以上且つ最小となる組み合わせを秤量、表示し、その表示に従って作業者がピックアップして袋詰め等の梱包を行う。
【００３５】
本発明は、実際の秤量選別を行う通常動作モードと、実際の秤量選別を行わずにプログラミングされた組み合わせによる指示に基づいて作業者が選択を行い、その所要時間を測定することにより熟練度を判定するトレーニングモードとの、２種類のモードを有する。
【００３６】
作業者の熟練度は時間の経過とともに養われていくものであるが、その熟練度に合わせた装置の設定や、複数の作業者の熟練度の組み合わせにより作業効率は変動するものであるから、個々の作業者の熟練度を把握することは重要である。また、熟練度の向上のため、実作業以外の時間に訓練を行うことも重要である。トレーニングモードはこのための熟練度を判定するのに役立つ。
【００３７】
トレーニングモードに於いては、実際の秤量選別を行わずにプログラミングされた組み合わせによる指示が行われ、これに基づいて作業者が選択を行い、その所要時間を測定する。所要時間を積算し、或いは平均所要時間を計算することによって、作業者の熟練度が判定出来る。これを元に、最適な人員配置を行うことにより、作業の効率化を図ることが出来る。
【００３９】
作業は一般に農家等で比較的高齢者が担当することが多く、視力の問題から組み合わせを指示するインジケータが見辛いといった障害が生ずることがあったが、音声と灯火の併用により、作業の正確さが向上し、効率化を進めることが出来る。
【００４０】
さらに進めて、最適組み合わせの重量計測部位を示す指示機構が音声によるものを用いれば、かかる秤量選別を視覚障害者でも作業可能にすることが出来る。
【００４１】
本実施例においては、該選択された最適組み合わせの重量計測部位を示す指示機構のうちの灯火は、着色灯火とし、具体的にはＬＥＤによるものとした。
【００４２】
また本実施例においては、該選択された最適組み合わせの重量計測部位を示す指示機構のうちの音声による指示機構は、夫々の指示灯火に隣接して夫々スピーカーを配した。ここで、発音するものであればスピーカーに代えてブザー等を適宜選択することが出来る。
【００４３】
また本実施例においては、音声による指示機構を、それぞれの指示位置により音程が異なるように設定した。具体的には、該重量計測部位を１２以下とし、それぞれの位置に該当する音声による指示機構が発する音程が平均律における１２音階とし、それぞれ音階が異なるように設定した。その音程は、一方向に音階が漸増するように配置した。ここで、弁別のためには重量計測部位が１２以下であればよく、平均律における１２音階が全て割り振られている必要はない。また、その配置も作業者の便宜により適宜配置して差し支えない。さらに、、該１２音階のいずれかに設定される指示部位及び計量皿の配置を、ピアノにおける鍵盤配置と同様の位置になるように配置することもよい。
【００４４】
かかる構成により、秤量選別作業が視覚障害者でも可能となり、障害者雇用、社会福祉の面でも社会に資することが出来る。
【００４５】
また本実施例においては、プログラミングされた楽曲をメモリに内蔵し、必要に応じて音声による指示機構の発音による演奏が可能な構成とした。また、音程に対応した計量皿をタッチすることによって楽曲演奏が可能な構成とした。これによって、組み合わせ計量機を作業の息抜きなどのステージでも活用できるようになった。
【００４６】
また本発明は、該組み合わせ計量機において、複数の重量計測部位はプラスチック部材で形成されることを特徴とし、これら計量皿は、サイズの異なる計量皿に交換して用いる事ができることを特徴とする。計量皿をプラスチック化することにより軽量で、清掃や計量皿の交換修理などの作業が容易になり、効率向上に効果が有る。
【００４７】
また本発明は、サイズの異なる計量皿を混在して用いて、いくつかの計量部位に大きいサイズの計量皿を設置し、大きいサイズの計量皿の重量に小さいサイズの計量皿の重量を加えて所定重量を秤量する親子計量ができることを特徴とする。親子計量は、大小に顕著な差のある野菜の計量や、ある程度の数量以上で所定の重量となる場合等に、幾つかの計量部位に大きいサイズの計量皿を設置し、これに小さいサイズの計量皿の重量を加えて所定重量を秤量する方法であり、効率化に有効である。
【００４８】
また本発明は、該重量計測部位に用いる計量皿を形状の異なる計量皿に交換して用いる事ができることを特徴とし、該計量皿は相対する列において計量皿の中心位置がずらして配列されてなることを特徴とする。さらに本発明は、重量計測部位に用いる計量皿は細長い形状を持ってなり、長物の被計量物に対応してなることを特徴とし、さらに相対する列において交互に計量皿を載置しない部位を設け、長物の被計量物に対応してなることを特徴とする。これらは、例えばアスパラガス、葱或いは牛蒡など長さのある野菜等を秤量する際に有効である。
【産業上の利用可能性】
【００４９】
本発明に係る組み合わせ計量機は、簡素な構成でコストが安く、作業者の熟練度を判定して最適な人員配置が可能となるととともに、熟練度を向上させるトレーニングを実施することが出来る。また、音声によるサポートによって高齢者でも効率的な作業が可能になるとともに、かかる秤量選別を視覚障害者でも作業可能にして、障害者雇用、社会福祉の面でも社会に資することが出来、また産業の発展に寄与するものである。
【符号の説明】
【００５０】
１０１    最適組み合わせの重量計測部位を示し或いはトレーニングモードにおける指示部位を示す、着色灯火及び／又は発音装置
【図１】
0006566724.tif 000002